(57)【特許請求の範囲】
【請求項１】
眼鏡のフレーム部分に、覚醒作用、ライトセラピー効果を促す照度、波長の光を発光して、装着者の眼に発光した光を照射する発光部材を配置した発光機能付き眼鏡であって、
前記発光部材は、前記覚醒作用、ライトセラピー効果を促す照度、波長の光を発光する発光体と、該発光体から発光された光を導光して装着者の眼に照射する導光部材と、を少なくとも備えるとともに、
前記発光部材が、眼鏡のレンズ周囲のフレーム部分の全部または一部を形成していることを特徴とする発光機能付き眼鏡。
【請求項２】
眼鏡のフレーム部分に、覚醒作用、ライトセラピー効果を促す照度、波長の光を発光して、装着者の眼に発光した光を照射する発光部材を配置した発光機能付き眼鏡であって、
前記発光部材は、前記覚醒作用、ライトセラピー効果を促す照度、波長の光を発光する発光体と、該発光体から発光された光を導光して装着者の眼に照射する導光部材と、を少なくとも備えるとともに、
前記発光部材が、眼鏡のレンズ周囲のフレーム部分の全部または一部に内蔵されていることを特徴とする発光機能付き眼鏡。
【請求項３】
前記発光体が、前記導光部材の内部に配置されていることを特徴とする請求項１または２に記載の発光機能付き眼鏡。
【請求項４】
前記発光部材が、眼鏡のレンズ周囲のフレーム部分の全部または一部に着脱自在に装着されていることを特徴とする請求項１または２に記載の発光機能付き眼鏡。
【請求項５】
前記発光部材が、その照度を調整可能なように構成されていることを特徴とする請求項１から４のいずれかに記載の発光機能付き眼鏡。
【請求項６】
前記発光部材が、その発光時刻、発光時間、発光間隔を調整可能なように構成されていることを特徴とする請求項１から４のいずれかに記載の発光機能付き眼鏡。
【請求項７】
前記導光部材には、光拡散層が形成されていることを特徴とする請求項１から６のいずれかに記載の発光機能付き眼鏡。
【請求項８】
前記光拡散層が、前記発光部材から照射される光の色、照度を選択したものであることを特徴とする請求項７に記載の発光機能付き眼鏡。
【請求項９】
前記発光部材の照度が、２０００〜２５００ルクス以上であることを特徴とする請求項１から８のいずれかに記載の発光機能付き眼鏡。
【発明の詳細な説明】
【０００１】
【発明の属する技術分野】
本発明は、人の生体リズムを調整して、睡眠・覚醒のリズムを正常な状態にするとともに、照射される光の照度、色によって、ストレスを解消し、爽快な気分にするライトセラピー効果を発揮することのできる発光機能付き眼鏡に関するものである。
【０００２】
【従来の技術】
近年、様々な理由から日中に眠気を感じる人が多くいる。例えば、若者であれば、インターネットが急速に発展したために睡眠不足になったり、夜遅くまで遊ぶことにより、睡眠時間帯が後ろにずれ込んだりしている。
また、交代制の仕事をする人や、深夜労働をする人は勿論のこと、仕事に追われて、所定の睡眠時間を取れない人などは、日中であっても軽い眠気を催している。さらに、海外旅行から帰って来た人などは、時差ぼけと戦わなければならない。
【０００３】
ところで、人の生活の中で、毎日の睡眠と覚醒といった生体リズムは非常に重要な役割を果たしており、生体リズムが崩れると、疲労感、集中力の低下、ストレス、消化不良などの各種の症状の原因となっている。
例えば、日照時間が少ない地方では、昼間の明るさが不足しがちな秋冬になって、気分が優れない人が多く、また、天候の優れない朝には、気分が悪く体調も優れないことがある。
【０００４】
このような生体リズムは、光との関係が深く、これらの症状の改善には、光が重要な役割を果たしており、特に、一日２５時間周期と言われる体内時計を一日２４時間にあわせる体内時計の同調機構に及ぼす影響は大きくなっている。従って、例えば、日中、屋内にいる場合や、長時間の飛行機旅行などにおいては、太陽光を浴びることができないので、昼夜の区別がなくなり、生体のリズムが乱れて、上記の疲労感、集中力の低下、ストレス、消化不良などの各種の症状をきたす原因となっている。
【０００５】
しかしながら、このように、日中、眠い人、または気分の優れない人などが、その眠気を解消したり、気分を覚醒したりするには、軽い運動をしたり、太陽光を充分に浴びたりすることが解消につながるが、近年、これを行うことができないのが現状である。さらに、日照時間の少ない地方では、太陽光を充分に浴びようとしても、それを行うことができないため生体リズムが乱れないようにすることは困難であるのが実情である。
【０００６】
このため、このような眠気の解消、生体リズムの乱れ防止のために、従来より、図１０に示したような、据え置き型の覚醒用発光装置１００が開発されている。
この覚醒用発光装置１００では、発光パネル１０２から、ライトセラピー効果を奏すると言われている波長、照度、および色の光、例えば、２０００〜２５００ルクス以上の照度で、青、緑色などの波長の光、あるいは太陽光に近いスペクトラムを有する光を、照射するように構成したものである。そして、起床時の食卓で点灯したり、日中室内で点灯したりして、上記の光を、眼に直接入れて、脳を刺激して、視床下部の脳下垂体からの眠気を催すメラトニンの分泌を抑制して、被照射者の眠気を覚醒するとともに、ライトセラピー効果によって、気分を爽快にするとともに、生体リズムを一定に維持して、上記の諸症状を予防するようになっている。
【０００７】
【発明が解決しようとする課題】
しかしながら、このような据え置き型の覚醒用発光装置１００では、かなりの大きさであり、持ち運び、携帯に不便であり、例えば、長時間の飛行機の中で使用するなど、覚醒が必要な場合、生体リズムの乱れを解消したい場合に、いつでもどこでも使用することは不可能である。
【０００８】
また、従来の覚醒用発光装置１００では、発光パネル１０２から照射された光が、周囲にいる人にも照射されることになるので、周囲の人に迷惑となるとともに、かえってその周囲の人の生体リズムを乱す要因ともなりかねない。
また、従来の覚醒用発光装置１００では、発光パネル１０２から、被照射者である人の眼までは、距離があるので、ライトセラピー効果を奏すると言われている波長、照度、および色の光、例えば、２０００〜２５００ルクス以上の照度で、青、緑色などの波長の光、あるいは太陽光に近いスペクトラムを有する光を被照射者の眼に照射しようとする場合には、大きい光量が必要である。そのため、大きな照射発光管や電源が必要であり、装置が大型化、複雑化してしまうことになる。
【０００９】
本発明は、このような実情に鑑み、コンパクトで、軽量で、持ち運び、携帯に便利であり、例えば、長時間の飛行機の中で使用するなど、覚醒が必要な場合、生体リズムの乱れを解消したい場合に、いつでもどこでも使用することができ、しかも、周囲の人に迷惑となることなく、本人だけが、眠くなった状態から早く解放されたり、または自然に生体リズムをとり戻すことができ、さらには、ライトセラピー効果を奏すると言われている波長、照度、および色の光、例えば、２０００〜２５００ルクス以上の照度で、青、緑色などの波長の光、あるいは太陽光に近いスペクトラムを有する光を照射可能な発光機能付き眼鏡を提供することを目的とする。
【００１０】
【課題を解決するための手段】
本発明は、前述したような従来技術における課題及び目的を達成するために発明なされたものであって、本発明の発光機能付き眼鏡は、眼鏡のフレーム部分に、覚醒作用、ライトセラピー効果を促す照度、波長の光を発光して、装着者の眼に発光した光を照射する発光部材を配置したことを特徴とする。
【００１１】
このように構成することによって、発光部材から照射される覚醒作用、ライトセラピー効果を促す照度、波長の光が、装着者の眼に直接入り、脳を刺激して、視床下部の脳下垂体からの眠気を催すメラトニンの分泌を抑制して、装着者の眠気を覚醒し、気分を爽快にすることができ、自然に生体リズムをとり戻すことが可能である。従って、充分な運動を取れない人、または日照時間の少ない地方などで生活する多くの人に対しても、爽やかな気持ちにさせることができる。
【００１２】
また、ライトセラピー効果を奏すると言われている波長、照度、および色の光、例えば、２０００〜２５００ルクス以上の照度で、青、緑色などの波長の光、あるいは太陽光に近いスペクトラムを有する光を、人の目に照射できるので、ストレスを解消でき、気分爽快にし、学習能力、仕事の効率などを向上することもできる。
【００１３】
また、このように眼鏡のレンズ周囲のフレーム部分に、このような発光部材を配置しているので、従来の据え置き型の覚醒用発光装置に比較して、周囲の人に発光によって、影響を与えることがなく、装着者のみに上記のような覚醒などの効果を得ることができる。
しかも、眼に近い眼鏡のレンズ周囲のフレーム部分に、発光部材を配置しているので、眼と発光部材の距離が短いので、覚醒効果に必要な照度を、少ない光量で得ることができ、電源なども小型化することができる。
【００１４】
従って、従来の据え置き型の覚醒用発光装置に比較して、小型で軽量であり、省電力化を図れ、しかも、持ち運び、携帯に非常に便利であり、例えば、長時間の飛行機の中など、太陽光が当たらない場所でも使用できるなど、覚醒が必要な場合、生体リズムの乱れを解消したい場合に、いつでもどこでも使用することができる。
【００１５】
また、本発明の発光機能付き眼鏡は、前記発光部材が、眼鏡のレンズ周囲のフレーム部分の全部または一部を形成していることを特徴とする。
これによって、フレーム自体を発光部材とすることができるので、簡単な構造で、製造が容易でコストを低減することができる。
また、本発明の発光機能付き眼鏡は、前記発光部材が、眼鏡のレンズ周囲のフレーム部分の全部または一部に内蔵されていることを特徴とする。
【００１６】
このように構成することによって、外部からは普通の眼鏡とかわらないものとして認識されることになるので、眼鏡としてのデザインを損なうことがない。
また、本発明の発光機能付き眼鏡は、前記発光部材が、眼鏡のレンズ周囲のフレーム部分の全部または一部に着脱自在に装着されていることを特徴とする
このように構成することによって、覚醒などの必要があるときに、眼鏡に装着することによって、発光機能付き眼鏡として使用できるとともに、不使用時には、簡単に取り外して、普通の眼鏡として使用することができる。
【００１７】
また、本発明の発光機能付き眼鏡は、前記発光部材が、その照度を調整可能なように構成されていることを特徴とする。
これによって、発光部材の発光する光の照度を、それぞれの個人の覚醒度、体調、生活リズムなどに応じて、覚醒、ライトセラピーなどに必要な照度を調整できるので、その汎用性が大きくなる。
【００１８】
また、本発明の発光機能付き眼鏡は、前記発光部材が、その発光時刻、発光時間、発光間隔を調整可能なように構成されていることを特徴とする。
このように構成することによって、それぞれの個人の覚醒度、体調、生活リズムなどに応じて、覚醒、ライトセラピーに必要な発光時刻、発光時間、発光間隔を調整でき、タイマー機能によって、自動的に覚醒、ライトセラピー機能を起動でき便利であるとともに、その汎用性が大きくなる。
【００１９】
また、本発明の発光機能付き眼鏡は、前記発光部材には、光拡散層が形成されていることを特徴とする。
この場合、前記光拡散層は、前記発光部材から照射される光の色、照度を選択することができる。
このように構成することによって、人の目に均一に光を拡散して照射できるとともに、覚醒効果、ライトセラピー効果に必要な色の光を選択して照射することができる。
【００２０】
また、本発明の発光機能付き眼鏡は、前記発光部材の照度が、２０００〜２５００ルクス以上であることを特徴とする。
このように発光部材の照度を、２０００〜２５００ルクス以上の範囲にすることによって、覚醒、生体リズムの調整、ライトセラピー効果などに最適な光を装着者の眼に照射することができる。
【００２１】
【発明の実施の形態】
以下、図面を参照しながら本発明の実施例について説明する。
図１は、本発明の発光機能付き眼鏡の実施例を示す斜視図である。
図１において、１０は、全体で本発明の発光機能付き眼鏡（以下、単に「眼鏡」と言う）を示している。
【００２２】
図１に示したように、この眼鏡１０は、ブリッジフレーム１２と、このブリッジフレームの１２の左右両側に連結されたレンズ１４，１４を保持するレンズフレーム１６，１６と、これらのレンズフレーム１６，１６に形成された装着者の鼻に当接する鼻あてを備えている。また、レンズフレーム１６、１６の左右両側には、蝶番１８、１８を介して、耳かけ用フレーム２０，２０が折り畳み可能に連結されている。
【００２３】
そして、この実施例では、レンズフレーム１６が、上部のフレーム部分を構成する発光部材２２と、この発光部材２２からレンズ１４の周囲を囲んでレンズ１４を保持するレンズ縁フレーム２４を備えている。
この発光部材２２は、覚醒効果、ライトセラピー効果を奏すると言われている波長、照度、および色の光、例えば、２０００〜２５００ルクス以上の照度で、青、緑色などの波長の光、あるいは太陽光に近いスペクトラムを有する光を、図２に示したように、装着者２６の眼２８に照射するように構成されている。
【００２４】
すなわち、ライトセラピー効果を奏すると言われている波長、照度、および色の光、例えば、２０００〜２５００ルクス以上の照度で、青、緑色などの波長の光、あるいは太陽光に近いスペクトラムを有する光を、人の目に照射できるので、ストレスを解消でき、気分爽快にし、学習能力、仕事の効率などを向上することもできる。
【００２５】
なお、この場合、発光部材２２を、三原色をバランスして、組み合わせるように構成することによって、いろいろな色の光を発光することができ、例えば、上記の青色、緑色以外にも、例えば、オレンジ色、黄色などを発色してリラックスさせる効果をもたらすことができる。
具体的には、図２および図３に示したように、発光部材２２は、略半円柱形状であり、例えば、ハロゲンランプ、高輝度ＬＥＤなどからなる発光体３０と、その周囲に配設したアクリル樹脂などの樹脂からなる導光部材３２を備えている。そして、この導光部材３２の背面部３４に、例えば、アルミなどの金属からなる金属蒸着膜などからなる反射コーティング３６を形成している。
【００２６】
なお、この発光部材２２の形状としては、発光体３０からの光を、装着者の眼の方向に照射できるものであればよく、例えば、多角柱形状にするなど特に限定されるものではない。
また、図示しないが、この場合、発光体３０への電源供給手段は、例えば、リチウム電池などを使用して、適宜の場所に組み込むことができる。
【００２７】
このように構成することによって、図２に示したように、発光部材２２の発光体３０から照射される覚醒作用、ライトセラピー効果を促す照度、波長の光が、導光部材３２の反射コーティング３６で反射されて、角度調整されて、装着者２６の眼２８に直接入り、脳を刺激して、視床下部の脳下垂体からの眠気を催すメラトニンの分泌を抑制して、装着者の眠気を覚醒し、気分を爽快にすることができ、また、自然に生体リズムをとり戻すことが可能である。
【００２８】
なお、この場合、図２に示したように、発光部材２２の発光体３０の光照射面に、例えば、ビーズ粒子を含んだアクリル樹脂、カラーフィルターなどの光拡散層３８を形成するのが望ましい。この場合、この光拡散層３８は、発光部材３０から照射される光の色、照度を選択したものであるのが好ましい。また、光拡散層３８は、発光部材３０から照射される光の色、照度を選択することができるように構成してもよい。
【００２９】
このように構成することによって、人の目に均一に光を拡散して照射できるとともに、覚醒効果、ライトセラピー効果に必要な色の光を選択して照射することができる。また、このようにカラーフィルターを設けることによって、照射される光を任意の角度に変えて、人の目に照射できる。
なお、この場合、発光体３０は、特に限定されるものではなく、上記のようにリチウム電池などの電源供給手段に、ハロゲンランプ、発光ダイオードなどが接続されたもの、または、外部の光を受けることにより、それ自身発光するもの、さらには太陽光からエネルギーを蓄電しながら発光する蓄光性材料からなるものなど、様々な公知の発光体から構成することができる。
【００３０】
すなわち、この発光体３０は、何らかの手段で外部に光を発し、上記の照度、波長の光を発光するものであれば、何れも使用可能である。
また、この発光体３０に、スイッチ、半導体などの制御装置を組み込んで、その発光時刻、発光時間、発光間隔を調整可能なように構成して、例えば、所定時間ごとに光らせることもでき、また、タイマーを設定することにより、点灯、消灯の繰り返しを一定時間後に完了させることもできるとともに、タイマー機能によって、自動的に覚醒、ライトセラピー機能を起動でき便利である。
【００３１】
なお、この実施例では、発光部材２２を、レンズフレーム１６の上部のフレーム部分を構成するようにしたが、これに何ら限定されるものではなく、例えば、図４に示すように、発光部材２２が、レンズフレーム１６のレンズ縁フレーム２４の下方部分を構成することもでき、また、図５に示すように、発光部材２２が、レンズフレーム１６のレンズ縁フレーム２４の左右両側部の両方またはいずれか一方の部分１３を構成するようにすることも可能である。
【００３２】
また、図６に示したように、発光部材２２が、ブリッジフレーム１２を構成するようにすることも可能である。
さらに、図９に示したように、レンズ１４を設けず、レンズフレーム１６の下方のレンズ縁フレーム２４を設けない構成とすることによっても、上述したような発光部材２２の発光体３０からの光による覚醒効果、ライトセラピー効果を発揮できることはもちろんである。
【００３３】
このように眼鏡１０のレンズ周囲のフレーム部分１６に、このような発光部材２２を配置しているので、従来の据え置き型の覚醒用発光装置に比較して、周囲の人に発光によって、影響を与えることがなく、装着者のみに上記のような覚醒などの効果を得ることができる。
しかも、眼に近い眼鏡１０のレンズ１４の周囲のフレーム部分１６に、発光部材２２を配置しているので、眼と発光部材２２の距離が短いので、覚醒、ライトセラピー効果に必要な照度を、少ない光量で得ることができ、電源なども小型化、省電力化することができる。
【００３４】
従って、従来の据え置き型の覚醒用発光装置に比較して、小型で軽量であり、省電力化することができ、しかも、持ち運び、携帯に非常に便利であり、例えば、長時間の飛行機の中など、太陽光が当たらない場所でも使用できるなど、覚醒が必要な場合、生体リズムの乱れを解消したい場合、ならびにライトセラピーを実施したい場合に、いつでもどこでも使用することができる。
【００３５】
従って、充分な運動を取れない人、または日照時間の少ない地方などで生活する多くの人に対しても、爽やかな気持ちにさせることができる。
また、フレーム１６自体を発光部材とすることができるので、簡単な構造で、製造が容易でコストを低減することができる。
図７は、本発明の発光機能付き眼鏡の別の実施例を示す斜視図である。
【００３６】
この実施例の発光機能付き眼鏡１０は、基本的には、図１の実施例の眼鏡１０とその構成が同様であり、同じ構成部材についてはその詳細な説明を省略する。
この実施例の眼鏡１０では、図７の一点鎖線で示したように、レンズフレーム１６の上部のフレーム部分１５の内部に、発光部材２２が内蔵された構成としている。
【００３７】
このように構成することによって、外部からは普通の眼鏡とかわらないものとして認識されることになるので、眼鏡としてのデザインを損なうことがない。
なお、この場合、図１に示した実施例と同様に、図示しないが、図４と同様に、発光部材２２を、レンズフレーム１６のレンズ縁フレーム２４の下方部分１１に内蔵することもでき、また、図５と同様に、発光部材２２を、レンズフレーム１６のレンズ縁フレーム２４の左右両側部の両方またはいずれか一方の部分１３に内蔵することも可能である。さらに、図６と同様に、発光部材２２を、ブリッジフレーム１２に内蔵することも可能である。
【００３８】
また、この実施例の場合には、レンズフレーム１６の上部のフレーム部分１５の内部に、発光部材２２を全部内蔵されるようにしたが、図示しないが、その一部分のみを内蔵させることも可能である。
図８は、本発明の発光機能付き眼鏡の別の実施例を示す斜視図である。
この実施例の発光機能付き眼鏡１０は、基本的には、図１の実施例の眼鏡１０とその構成が同様であり、同じ構成部材についてはその詳細な説明を省略する。
【００３９】
この実施例の眼鏡１０では、図８の一点鎖線で示したように、レンズフレーム１６の上部のフレーム部分１５の内側、すなわち装着者の側に、発光部材２２を着脱自在に装着している。
このように構成することによって、覚醒などの必要があるときに、眼鏡に装着することによって、発光機能付き眼鏡として使用できるとともに、不使用時には、簡単に取り外して、普通の眼鏡として使用することができる。
【００４０】
なお、この場合、図１に示した実施例と同様に、図示しないが、図４と同様に、発光部材２２を、レンズフレーム１６のレンズ縁フレーム２４の下方部分１１に着脱自在に装着することもでき、また、図５と同様に、発光部材２２を、レンズフレーム１６のレンズ縁フレーム２４の左右両側部の両方またはいずれか一方の部分１３に着脱自在に装着することも可能である。さらに、図６と同様に、発光部材２２を、ブリッジフレーム１２に着脱自在に装着することも可能である。
【００４１】
なお、この場合、発光部材２２をフレーム部分に着脱自在に取付ける方法としては、特に限定されるものではなく、両面テープ、接着剤、粘着剤などを用いることも、また、紐などの帯状体、止め具などを使用することもできる。さらに、フレーム部分に凹部を設け、この凹部内に発光部材２２の一部または全部を着脱自在に埋設することもできる。
【００４２】
以上、本発明の好ましい実施の態様を説明したが、本発明はこれに限定されるものではなく、例えば、上記実施例では、装着者の眼に対して、一つづつの発光部材２２を設けたが、装着者の眼に対して、二つ以上の発光部材２２を設けることも可能であり、また、発光部材２２をそれぞれのフレームの一部分のみに設けることもでき、さらには、耳かけ用フレーム２０，２０に発光部材２２を設けることも可能であるなど本発明の目的を逸脱しない範囲で種々の変更が可能である。
【００４３】
【発明の効果】
以上、説明したように、本発明に係る発光機能付き眼鏡によれば、発光部材から照射される覚醒作用、ライトセラピー効果を奏すると言われている波長、照度、および色の光、例えば、２０００〜２５００ルクス以上の照度で、青、緑色などの波長の光、あるいは太陽光に近いスペクトラムを有する光が、装着者の眼に直接入り、脳を刺激して、視床下部の脳下垂体からの眠気を催すメラトニンの分泌を抑制して、装着者の眠気を覚醒し、気分を爽快にすることができ、自然に生体リズムをとり戻すことが可能であるとともに、学習能力、仕事の効率などを向上することもできる。
【００４４】
従って、充分な運動を取れない人、または日照時間の少ない地方などで生活する多くの人に対しても、爽やかな気持ちにさせることができる。
また、このように眼鏡のレンズ周囲のフレーム部分に、このような発光部材を配置しているので、従来の据え置き型の覚醒用発光装置に比較して、周囲の人に発光によって、影響を与えることがなく、装着者のみに上記のような覚醒、ライトセラピーなどの効果を得ることができる。
【００４５】
しかも、眼に近い眼鏡のレンズ周囲のフレーム部分に、発光部材を配置しているので、眼と発光部材の距離が短いので、覚醒、ライトセラピー効果に必要な照度を、少ない光量で得ることができ、電源なども小型化することができるとともに、省電力化を図ることができる。
従って、従来の据え置き型の覚醒用発光装置に比較して、小型で軽量であり、しかも、持ち運び、携帯に非常に便利であり、例えば、長時間の飛行機の中など、太陽光が当たらない場所でも使用できるなど、覚醒、ライトセラピーが必要な場合、生体リズムの乱れを解消したい場合に、いつでもどこでも使用することができる。
【００４６】
また、本発明の発光機能付き眼鏡によれば、フレーム自体を発光部材とすることができるので、簡単な構造で、製造が容易でコストを低減することができる。
また、本発明の発光機能付き眼鏡によれば、発光部材が、眼鏡のレンズ周囲のフレーム部分の全部または一部に内蔵されているので、外部からは普通の眼鏡とかわらないものとして認識されることになるので、眼鏡としてのデザインを損なうことがない。
【００４７】
さらに、本発明の発光機能付き眼鏡によれば、覚醒、ライトセラピーなどの必要があるときに、眼鏡に装着することによって、発光機能付き眼鏡として使用できるとともに、不使用時には、簡単に取り外して、普通の眼鏡として使用することができる。
また、本発明によれば、発光部材には、光拡散層が形成されており、この光拡散層が、発光部材から照射される光の色、照度を選択したものであるので、人の目に均一に光を拡散して照射できるとともに、覚醒効果、ライトセラピー効果に必要な色の光を選択して照射することができる。
【００４８】
また、本発明の発光機能付き眼鏡によれば、発光部材の発光する光の照度を、それぞれの個人の覚醒度、体調、生活リズムなどに応じて、覚醒に必要な照度を調整でき、しかも、それぞれの個人の覚醒度、体調、生活リズムなどに応じて、覚醒、ライトセラピーに必要な発光時刻、発光時間、発光間隔を調整でき、タイマー機能によって、自動的に覚醒、ライトセラピー機能を起動でき便利であるとともに、その汎用性が大きくなるなど幾多の顕著で特有な作用効果を奏する極めて優れた発明である。
【図面の簡単な説明】
【図１】図１は、本発明の発光機能付き眼鏡の実施例を示す斜視図である。
【図２】図２は、本発明の発光機能付き眼鏡の作用を示す概略図である。
【図３】図３は、本発明の発光機能付き眼鏡の発光部材２２の拡大斜視図である。
【図４】図４は、本発明の発光機能付き眼鏡の別の実施例を示す斜視図である。
【図５】図５は、本発明の発光機能付き眼鏡の別の実施例を示す斜視図である。
【図６】図６は、本発明の発光機能付き眼鏡の別の実施例を示す斜視図である。
【図７】図７は、本発明の発光機能付き眼鏡の別の実施例を示す斜視図である。
【図８】図８は、本発明の発光機能付き眼鏡の別の実施例を示す斜視図である。
【図９】図９は、本発明の発光機能付き眼鏡の別の実施例を示す斜視図である。
【図１０】図１０は、従来の据え置き型の覚醒用発光装置の斜視図である。
【符号の説明】
１０  眼鏡
１２  ブリッジフレーム
１４  レンズ
１６  レンズフレーム
１８  蝶番
２０  耳かけ用フレーム
２２  発光部材
２４  レンズ縁フレーム
３０  発光体
３２  導光部材
【図１】
0004810632.tif 000002
【図２】
0004810632.tif 000003
【図３】
0004810632.tif 000004
【図４】
0004810632.tif 000005
【図５】
0004810632.tif 000006
【図６】
0004810632.tif 000007
【図７】
0004810632.tif 000008
【図８】
0004810632.tif 000009
【図９】
0004810632.tif 000010
【図１０】
0004810632.tif 000011